(57)【要約】【課題】            従来の情報を告知するための通信システムにあってはパターンが画一化され、自由度が少ないため、特定の目的のみにしかシステムを使用できず、その応用範囲の広がりがなかったという点である。【解決手段】        腕時計型もしくは携帯ボックス型とした受信機を有し、その受信機は少なくとも振動機能、表示部への文字メッセージ機能、時計機能及び着信履歴の格納機能を有し、この受信機に対し、メッセージを送信する送信機は接点入力、音声入力、温度各種の光センサー入力の外部入力及び本体押ボタンの入力に対応し、特定小電力無線を用いて行なわれることとし、送信機としてパーソナルコンピュータを用い、必要なメッセージを予め操作ボックスに登録し、選択してワンタッチでの送信を可能とすることとする。【選択図】          図４
2009124372.tif 000002
【特許請求の範囲】
【請求項１】
腕時計型もしくは携帯ボックス型とした受信機を有し、その受信機は少なくとも振動機能、表示部への文字メッセージ機能、時計機能及び着信履歴の格納機能を有し、この受信機に対し、メッセージを送信する送信機は接点入力、音声入力、温度各種の光センサー入力の外部入力及び本体押ボタンの入力に対応し、特定小電力無線を用いて行なわれることを特徴とする通信システム。
【請求項２】
前記した受信機には前記に加え、発光機能、ブザー音機能も有していることを特徴とする請求項１に記載の通信システム。
【請求項３】
前記した受信機と送信機の間に中継器を介在させ、通信距離を長く確保することを特徴とする請求項１または請求項２に記載の通信システム。
【請求項４】
前記した送信機としてパーソナルコンピュータを用い、必要なメッセージを予め操作ボックスに登録し、選択してワンタッチでの送信を可能とすることを特徴とする請求項１、請求項２または請求項３に記載の通信システム。
【請求項５】
前記したパーソナルコンピュータを用いる際にＰＬＣを利用することを特徴とする請求項４に記載の通信システム。
【請求項６】
前記した送信機はシリアル通信により送信データを自由に設定できることとし、受信機はプリセットされた定型文表示以外に自由文表示を可能としたことを特徴とする請求項１、請求項２、請求項３、請求項４または請求項５に記載の通信システム。
【発明の詳細な説明】
【技術分野】
【０００１】
本発明は通信システム、特に各個人が保持する小型の受信機に対し、各種の警報や情報を告知することができる単向通信方式の通信システムであって、その通信内容にバリエーションを持たせ、一般的に連絡や指示の告知の実行も可能とする通信システムに関する。
【背景技術】
【０００２】
従来、主として聴覚障害者用として、在宅時に補聴器を外した場合等における訪問、電話コール、火災やガス洩れの警報を告知する手段として個別の受信機を保有させ、その受信機に各種センサーの感知で起動する送信機から情報を通信し、告知するシステムを出願人は開発した。
【０００３】
しかしながら、この従来のシステムは送信内容が送信機にプリセットされた固定のものに限られ、また手段として微弱電波を使用することとしていたため、通信距離が短くなり、どうしても中継器の存在を不可欠としていた。
【０００４】
また、受信機としてもパターンを選択できる振動と時計機能、その振動によって着信を感知して見る表示は特定された文字や図柄に限定されており、その他の一般的連絡事項には対応することができないものとなっていた。
【特許文献１】本願発明に関し、出願人は先行する技術文献を調査したが格別に本願と類似すると思われる文献を発見することはできなかった。
【発明の開示】
【発明が解決しようとする課題】
【０００５】
本願発明が解決しようとする問題点は、従来の情報を告知するための通信システムにあってはパターンが画一化され、自由度が少ないため、特定の目的のみにしかシステムを使用できず、その応用範囲の広がりがなかったという点である。
【課題を解決するための手段】
【０００６】
係る問題点を解決するために、本発明に係る通信システムは腕時計型もしくは携帯ボックス型とした受信機を有し、その受信機は少なくとも振動機能、表示部への文字メッセージ機能、時計機能及び着信履歴の格納機能を有し、この受信機に対し、メッセージを送信する送信機は接点入力、音声入力、温度各種の光センサー入力の外部入力及び本体押ボタンの入力に対応し、特定小電力無線を用いて行なわれることを特徴としている。
【０００７】
また、本発明に係る通信システムは前記した受信機には前記に加え、発光機能、ブザー音機能も有していることを特徴とし、前記した受信機と送信機の間に中継器を介在させ、通信距離を長く確保することを特徴とし、前記した送信機としてパーソナルコンピュータを用い、必要なメッセージを予め操作ボックスに登録し、選択してワンタッチでの送信を可能とすることを特徴とし、前記したパーソナルコンピュータを用いる際にＰＬＣを利用することを特徴とし、前記した送信機はシリアル通信により送信データを自由に設定できることとし、受信機はプリセットされた定型文表示以外に自由文表示を可能としたことを特徴としている。
【発明の効果】
【０００８】
本願に係る通信システムは上記のように構成されている。そのため、送信機への入力パターンも多数化され、内容も自由に変更、設定することが可能となり、加えて、受信機の機能も多様化され、特定の情報告知のみならず、一般的な通信にも幅広く応用できる。加えて、特定小電力無線の使用や中継器の介在によって通信距離としても長い距離を設定することが可能となっている。
【発明を実施するための最良の形態】
【０００９】
図面として示し、実施例で説明したように構成することで実現した。
【実施例１】
【００１０】
次に、本発明の好ましい実施の一例を図面を参照して説明する。図１は本発明に使用される送信機を示す図、図２は同じく腕時計型とした受信機を示す図、図３は同じく携帯ボックス型とした受信機を示す図、図４は同じくパーソナルコンピュータを使用した呼び出しシステムの概要図、図５は同じくパーソナルコンピュータの通知画面の一例を示す図、図６は同じく通信モジュールの画面を示す図、図７は同じく操作ボックスを介在させたシステム概要図、図８は同じく操作ボックスを示す図である。
【００１１】
これらの図にあって１は送信機を示している。尚、図１にあってＡは正面図、Ｂは左側面図、Ｃは右側面図、Ｄは背面図、Ｅは平面図、Ｆは底面図、Ｇは延長したアンテナの正面図、Ｈはケース止め用ネジの側面図、Ｉは平面図、Ｊはアンテナ用ネジの側面図、Ｋは平面図である。この送信機１はプラスチック製の合わせケース２、２をネジ３で固定止着し、内部に電子部品を搭載した基板が収納されたものとなっている。
【００１２】
この送信機１は前面下方にＤＣ３Ｖ（単４アルカリ電池２本）用の電池ボックスのカバー４が着脱自在に備えられている。送信機１はこのＤＣ３Ｖを電源とするが、右側面に備えられた接続部５からＡＣアダプタ（ＤＣ４．５Ｖ〜ＤＣ１２Ｖ／２０ｍＡ以上）を用いて電源とすることもできる。
【００１３】
また、この送信機１の上面片隅にはロッドアンテナ６が基端部分で枢動可能に、ブラケット７に対し、ネジ８により取り付けられ、このアンテナ６の基部はケース２、２内に導入され、特に図示しない基板と電気的に接続されている。
【００１４】
さらに、送信機１の左側面には電源のＯＮ、ＯＦＦ用のスライドスイッチ９が備えられているもので、前面上部には後述するマイクでの入力ボリュームの調整ダイヤル１０と検出時間ボリュームの調整ダイヤル１１と正面上方右側には送信時に点滅（標準１０秒）するＬＥＤ１２が備えられている。このＬＥＤ１２の点滅開始は標準で送信開始から３．３１２５秒で行なわれる。この時間は電池の寿命の伸延を考慮しなければ縮める事が出来る。このＬＥＤ１２の点滅中は他の送信入力は受け付けない。また、メモリーを使用して受信をすることは可能である。
【００１５】
そして、この送信機１は回線周波数が４２６．０２５０ＭＨｚ〜４２６．１３７５ＭＨｚ（１２．５ＫＨｚ間隔）の中の１波とされ、特に指定がない場合は４２６．０５０ＭＨｚとし、その偏差は±４×１０−６以内とされる占有周波数帯域幅は８．５ＫＨｚ以内とされ、送信時間は最大で４０秒、検出時間はダイヤル１１を最大として１秒以上とされる。
【００１６】
そのデータフォーマットは、プリアンブルは１と０を交互に繰り返し、標準で１６００ビットを送出するが、この長さは内蔵されるＥＥＰＲＯＭの設定で変更可能である。フレーム周期信号は合計３２ビットで、識別符号はＩＤ／メッセージ識別フラグが１ビット（０＝ＩＤを示す）、振動パターンが３ビット、グループＩＤが９ビット、個別ＩＤが８ビット、ＢＣＨ符号が１０ビット、バリティチェックビットは１ビット（偶数バリティ）とし、この合計３２ビットを１バッチとし、マンチェスタ符号化して送出する。文字データはＩＤ／メッセージ識別フラグを１ビット（１＝文字データを示す）、文字データが２０ビット（８ビットで１文字を表わすために２．５文字分）、ＢＣＨ符号が１０ビット、バリティチェックビットは１ビット（偶数バリティ）とされる。この計３２ビットを１バッチとしてマンチェスタ符号化して識別符号に続けて送出する。また、本実施例ではプリアンブルの長さを短くしたり、送信回数を複数回に設定できるものとする。また１０文字のデータを送信する場合には識別符号に続けて４バッチのデータを要することとなる。
【００１７】
この送信機１は電源スイッチ９をＯＮとすることで電源が供給され、検出回路が動作を開始する。ＥＥＰＲＯＭの設定内容で電源ＯＮ時の自動送信が有効となっていればＡＣアダプター使用時に強制的にセンサーのＩＤで送信される。
【００１８】
また、送信動作は各種センサーによる検出もしくは送信スイッチ１３の入力でなされる。この１回の送信時間は標準で３．１２５秒でこの際前記したようにＬＥＤ１２は点滅し、この送信がなされると最低２秒は休止時間が必要となり、前記したＬＥＤ１２の点滅最低時間は２秒とされる。
【００１９】
さらに、送信機１の検出動作は音声検出の場合、マイクジャック１４に接続されたマイクからの信号は入力ボリューム１０によって感度調整され、増幅、検波された後、検出ボリューム１１によって設定された時間の経過後に送信が開始される。携帯電話機と対応するには内部に携帯電話用の電波検出回路を内蔵させ、電話回線接続タイプのファクシミリと対応するにはマイクジャック１４に専用のモジュラーケーブルを接続し、電話回線の呼び出し信号を検出すると送信が開始される。また、パーソナルコンピュータから文字をインターフェースを通してマイクジャック１４に入力すると１０文字送信できる。当然ながら、マイクジャック１４は音声検出と同時には使用できない。
【００２０】
そして、ＩＤの設定に関し、グループＩＤは５１２通り、個別ＩＤは２５６通り設定ができ、この個別ＩＤで１０文字送信用に設定できるのは３通りであり、他のＩＤは固定５文字または任意１０文字送信用に設定できる。
【００２１】
次いで、図２、図３によって受信機について説明する。図２は腕時計型のものを示し、Ａは正面図、Ｂは背面図、Ｃは側面図、Ｄは底面図を示す。この腕時計型の受信機１５は接続部１６、１６にベルトを接続することで、手首への着脱が可能とされる。また、図３は携帯ボックス型のものを示し、Ａは正面図、Ｂは背面図、Ｃは平面図、Ｄは右側面図、Ｅは左側面図を示す。この携帯ボックス型の受信機１７は一部にストラップを装着できる透孔１８を有している。尚、受信方式はシングルスーパヘテロダイン方式をとる。
【００２２】
これらの受信機１５、１７の電源供給は、腕時計型の受信機１５は電池蓋１９を完全に閉めた時、また、携帯ボックス型の受信機１７の場合はモード選択スイッチ２０をスライドさせて、振動または音に設定した時になされ、表面のＬＣＤ（表示部）２１、２２を全点灯させた後に一定時間管理番号を表示して時刻を表示する。そのまま放置すると１０秒間でＬＣＤ２１、２２は消え、通常の待機モードとなる。
【００２３】
この受信動作は３秒間に１回の割合（ＥＥＰＲＯＭの設定による）で受信動作を間欠的に繰り返す。１回の受信時間は未送時に約３０ｍｓとされ、仮に受信時にプリアンブル信号を検出すれば引き続き受信動作を継続し、最大で３．３１２５秒（間欠の設定による）の間、シンクコード検出、ＩＤ検出を行う。
【００２４】
この各受信機１５、１７の回線周波数は送信機と対応し、受信感度は０ｄＢｕＶｅｍｆ以下（シャーシ感度）スプリアス応答は４０ｄＢ以上（イメージを除く）、隣接チャンネル選択度は３０ｄＢ以上（基準感度比）、局部発振器の周波数変動は±４×１０−6以内、不要輻射は４ｎＷ以下、動作温度、湿度はマイナス摂氏１０度〜５０度及びプラス摂氏３５度、９５％にて異常のないこと、アンテナは内蔵のループアンテナ、バッテリーセービングは３秒に１回、約３０ｍｓの受信（標準のエリア内無信号時）としている。
【００２５】
この受信機１５、１７は受信期間中にシンクコードを受信し、それに続くＩＤがエラーなしで受信できれば設定されたＩＤと比較し、一致するＩＤに対応するメッセージをＬＣＤ２１、２２に表示し、バイブレータを振動させ、この着信を知らせる。光フラッシュの場合はフラッシュ部２３に内蔵されているＬＥＤをフラッシュさせる。受信機１７における振動とブザーの切り替えはスイッチ２０によりなされる。これら動作はＩＤが１〜８の場合である。ＩＤが９以上でそれに続くデータが文字データであった場合には、継続して受信してデータを格納する。表示は５文字単位で切り替え表示し，バイブレータの振動はＩＤと一緒に送信された振動番号によりＥＥＰＲＯＭに設定されたパターンで応答する。応答動作中にタイムスイッチ２４かアラームスイッチ２５を押すと着信告知動作を中止する。
【００２６】
この受信機１５、１７にあっての時刻の設定は、通常待機状態に於いてタイムスイッチ２４を２秒以上押し続けると時刻設定モードとなり、このモードに入ると時刻が設定されていなければ初期として１２ａ００と表示される。タイムスイッチ２４を押すと１時間単位で増加し、１秒以上押し続けると連続的に増加する。１１時を過ぎると１２ｐ００と表示される。アラームスイッチ２５を押すと１分単位で増加し、１秒以上押し続けると連続的に増加する。１０秒間放置すると時刻が設定される。
【００２７】
通常待機状態においてアラームスイッチ２５を押して時刻を表示させた後、再度アラームスイッチ２５を２秒以上押し続けるとアラーム設定モードになる。このモードに入るとアラームが設定されていなければ１２Ａ００と表示され、前記と同じ動作で時間単位を増加でき、１０秒間放置するとｏｎＯＦＦが表示され、タイムスイッチ２４を押すとＯＮｏｆｆの文字が表示され、アラームスイッチ２５を押すとｏｎＯＦＦと表示されて大文字で表示されている方が有効となる。１０秒放置すると設定モードを抜けて通常状態に戻る。
【００２８】
また、時刻の表示は通常待機状態で１０秒以上放置すると表示なしの状態となるがタイムスイッチ２４を押すと時刻が表示され、常時表示モードにしたい場合にはタイムスイッチ２４とアラームスイッチ２５を同時に２秒以上押し続ける。押した段階で表示が一度表われ、２秒以上経過すると表示が消えるのでモードが切り替わったことが確認できる。スイッチを離すと常時表示モードとなる。これを戻すには同じように両スイッチ２４、２５を同時に２秒以上押し続けることで表示が消え、通常待機状態となる。
【００２９】
アラームが設定されていて、現在時刻がその設定時刻になると「メザマシ」の表示がなされて、受信応答時と同じ動作を繰り返す。この動作中にタイムスイッチ２４を押すと、アラーム動作を中止する。
【００３０】
さらに、電池スイッチ２６を押すと、電池電圧が正常であれば押している間だけＬＣＤ２１、２２両側のバックライトが点灯し、バイブレータが振動する。受信機１７の場合はスイッチ２０の位置によって振動またはブザーが鳴り、同時にＬＥＤのフラッシュ部２３も点灯する。電圧が受信機１５の場合は２．５Ｖ以下、１７の場合は１．０Ｖ以下でバイブレータは動作しない。通常待機状態で電圧低下となると受信応答時や時刻確認時にＬＣＤ２１、２２から表示が消えるタイミングで「デンチ×」と表示が出る。時刻の常時表示状態ではタイムスイッチ２４かアラームスイッチ２５を押すとこの「デンチ×」という表示がされる。
【００３１】
メモリーコールはアラームスイッチ２５を押すと最後に受信したメッセージと時刻を順に表示する。
【００３２】
ＩＤはグループＩＤ４通りと個別ＩＤ８通りを設定できる。個別ＩＤ１とＩＤ５はエンドレスモード用であり、個別ＩＤは固定１０文字用に最大３通り、任意１０文字用に１通りを設定できる。他は固定５文字設定用である。
【００３３】
また、通信距離を延長するため介在されることのある中継器はその構造、仕様はマイクジャック１４を無いものとした送信機１と同様となり、送信機１から送信された信号を受けて、それを受信機１５、１７へ送信することとなる。
【００３４】
さらに、本願発明は特定もしくは複数人の対象者に対して呼び出しシステムとして実施することもできる。これは基本的に図４に示すようにパーソナルコンピュータ２７と送信機１をＲＳ２３２ケーブルで接続して、パーソナルコンピュータ２７における情報、特に呼び出しの分類化されたコメントメッセージを受信機１５もしくは１７に対し送信するものである。
【００３５】
パーソナルコンピュータ２７の表示画面で作成される通知画面は例えば図５として示すように構成される。この画面によって、登録名簿２８内に羅列された特定のＩＤ番号を選択し、次いで送信メッセージ２９内から適宜なものを選択し、振動選別３０、グループＩＤ３２を入力し、Ｆ９：送信ボタン３１をクリックしてパーソナルコンピュータ２７から対象者へ直接送信を行なう。通常、このシステムに対応する受信機１５、１７にはＧＩＤ−１、ＩＤ−１２、振動種別は１（５回振動）が書き込み設定されている。これ以外の場合には予め受信機１５、１７への書き込みが必要となる。追加、挿入でデータの追加挿入ができ、上へ、下へのボタンをクリックすることで選択されるデータの場所移動が可能となる。
【００３６】
また、本システムにおける送信モジュールの通信設定画面は図６のように表示される。この作用はまず通信ポートを選択し、直接送信ポートを選択し、ポートレートを選択する。ＯＫボタンで変更が登録され、キャンセルボタンで変更はキャンセルされる。このソフトウエアにおける１２００ｂｐｓで使用され、登録名簿及び送信メッセージの最大登録数は２００件、振動種別は１〜８まで選択でき、ＩＤは１〜５００まで入力できる。
【００３７】
さらに、前記したシステムは操作ボックス３３を介在して行なうこともできる。この操作ボックス３３はパーソナルコンピュータ２７及び送信機１と各々ＲＳ２３２ケーブルで接続されるもので、予めパーソナルコンピュータ２７からその操作ボックス３３にメッセージを登録しておく。この操作ボックス３３のスイッチでメッセージを選択して送信機１へ送信する。次いで、送信機１から受信機１５、１７へメッセージを送信するが、受信機１５、１７が複数ある場合には選択したメッセージは全ての受信機１５、１７へ送信される。
【００３８】
この操作ボックス３３は図８に示すようになっている。Ａは平面図、Ｂは正面図、Ｃは側面図を示す。３４は電源としてのＡＣアダプタの接続部であり、３５はＲＳ２３２ケーブルの接続部でパーソナルコンピュータ２７と継いでメッセージを登録し、送信時には送信機１と接続する。３６はＬＣＤで選択したメッセージを表示する。
【００３９】
また、３７は電源スイッチであり、３８は電源がＯＮの時に点灯するパイロットランプを示す。さらに３９、３９‥はメッセージの選択スイッチで、図５として示した送信メッセージ２９の合計数に合わせ１０パターンを登録可能とし、この中から選択してスイッチ３９、３９‥のうちどれからか入力することとなる。尚、４０は選択したメッセージを送信機１を介して受信機１５、１７へ送信するための送信スイッチである。
【産業上の利用可能性】
【００４０】
本願に係る通信システムは上記のように構成されている。実施例で示したもののほかにも、このシステムの応用用途は幅広く、種々の音声やメカニズムの作動状況への対応、騒音が激しい現場等での連絡やイベントや興業における警備連絡等にも利用することができる。
【図面の簡単な説明】
【００４１】
【図１】本発明に使用される送信機を示す図である。
【図２】腕時計型とした受信機を示す図である。
【図３】携帯ボックス型とした受信機を示す図である。
【図４】パーソナルコンピュータを使用した呼び出しシステムの概要図である。
【図５】パーソナルコンピュータの通知画面の一例を示す図である。
【図６】通信モジュールの画面を示す図である。
【図７】操作ボックスを介在させたシステム概要図である。
【図８】操作ボックスを示す図である。
【符号の説明】
【００４２】
１    送信機
２    ケース
３    ネジ
４    電池ボックスのカバー
５    接続部
６    ロッドアンテナ
７    ブラケット
８    ネジ
９    スライドスイッチ
１０  入力ボリュームの調整ダイヤル
１１  検出時間ボリュームの調整ダイヤル
１２  ＬＥＤ
１３  送信スイッチ
１４  マイクジャック
１５  腕時計型の受信機
１６  接続部
１７  携帯ボックス型の受信機
１８  透孔
１９  電池蓋
２０  選択スイッチ
２１  ＬＣＤ
２２  ＬＣＤ
２３  フラッシュ部
２４  タイムスイッチ
２５  アラームスイッチ
２６  電池スイッチ
２７  パーソナルコンピュータ
２８  登録名簿
２９  送信メッセージ
３０  振動選別
３１  送信ボタン
３２  グループＩＤ
３３  操作ボックス
３４  接続部
３５  接続部
３６  ＬＣＤ
３７  電源スイッチ
３８  パイロットランプ
３９  選択スイッチ
４０  送信スイッチ
【図１】
2009124372.tif 000003
【図２】
2009124372.tif 000004
【図３】
2009124372.tif 000005
【図４】
2009124372.tif 000006
【図５】
2009124372.tif 000007
【図６】
2009124372.tif 000008
【図７】
2009124372.tif 000009
【図８】
2009124372.tif 000010